(57)【特許請求の範囲】
【請求項１】
鋸歯状の水平偏向電流をＣＲＴの水平偏向コイルに流して電子ビームを水平方向に走査するＣＲＴ用水平偏向回路であって、
前記水平偏向電流の波形の全体のリニアリティは補正せずに、前記波形のリニアリティが高い走査期間の部分のみを使って画像を表示するように前記波形のタイミングを前記水平走査周波数に基づいて制御する表示制御手段を具備したことを特徴とするＣＲＴ用水平偏向回路。
【発明の詳細な説明】
【技術分野】
【０００１】
本発明は、ＣＲＴ用水平偏向回路に関し、さらに詳しくは、水平偏向周波数が低いときでも表示画像の水平方向のリニアリティ（直線性）を十分に高めることができるように改良したＣＲＴ用水平偏向回路に関する。
【背景技術】
【０００２】
図５は、従来のＣＲＴ用水平偏向回路の一例を示す構成図である。
このＣＲＴ用水平偏向回路５００は、入力された水平同期信号ＨＤを水平位置制御信号ＣＨ’に応じて遅延させて遅延水平同期信号ＨＤ’を生成する水平位置制御回路１と，前記遅延水平同期信号ＨＤ’に周波数および位相が一致した水平偏向パルス電圧Ｖｐを発生する水平発振回路２と，前記水平偏向パルス電圧Ｖｐを増幅すると共に波形成形を行う水平ドライブ回路３と，トランジスタＱ１のスイッチング動作および共振回路の働きにより水平偏向コイル４１およびリニアリティコイル４２に水平偏向電流ｉ’を流す水平出力回路４と，その水平出力回路４で発生したフライバックパルスを昇圧してＣＲＴ（図示せず）のアノード電極に印加する高圧を発生させるフライバックトランス５と，画像表示位置が画面の中央になるように水平位置制御信号ＣＨ’を出力するマイクロコンピュータ５０とを具備して構成されている。
【０００３】
次に、上記ＣＲＴ用水平偏向回路５００の動作について説明する。
図６に、水平偏向周波数ｆｈが１１０ｋＨｚの場合を示す。図６の（ａ）に示すように、遅延同期信号ＨＤ’（実線）は、水平同期信号ＨＤ（点線）を前記水平位置制御信号ＣＨ’に相当する遅延時間τだけ遅延させた波形である。
周期Ｔ１は、９．０９μｓである。水平方向の画像表示位置は、図６の（ａ）に示した遅延同期信号ＨＤ’と，図６の（ｂ）に示す表示信号との時間差により決まる。図６の（ｃ）に示すように、水平偏向コイル４１には、遅延同期信号ＨＤ’に同期した鋸歯状の水平偏向電流ｉ’が流れる。水平偏向周波数ｆｈが高ければ、水平走査期間Ｌにおける水平偏向電流ｉ’の波形のリニアリティは高く、表示画像の水平方向のリニアリティは良好である。
図７に、水平偏向周波数ｆｈが３０ｋＨｚの場合を示す。図７の（ａ）に示すように、遅延同期信号ＨＤ’（実線）は、水平同期信号ＨＤ（点線）を前記遅延時間τだけ遅延させた波形である。周期Ｔは、３３μｓである。図７の（ｃ）に示すように、水平偏向コイル４１には、遅延同期信号ＨＤ’に同期した鋸歯状の水平偏向電流ｉ’が流れる。水平偏向周波数ｆｈが低いと、フライバックトランス５の特性等の影響により、期間Ｄで水平偏向電流ｉ’の波形が鈍ってリニアリティが低くなり、表示画像の水平方向のリニアリティが悪化する。すなわち、図８に示すように、図７の（ｃ）の期間Ｄに対応する低リニアリティ領域（左上がりの斜線領域）ＤＦが、画像表示領域（右上がりの斜線領域）Ｇに重なり、この部分で画像に歪みを生じてしまう。なお、図中、Ｗは画面幅である。ＬＦは、水平走査範囲（水平ラスター領域）である。Ｆは、ＣＲＴの管面幅である。
【０００４】
従来、リニアリティ補正する技術（例えば、特許文献１参照。）やオーバースキャン技術（例えば、特許文献２参照。）が知られている。
【特許文献１】特開平０９−２０５５６２号公報
【特許文献２】特開昭５０−６３８２６号公報
【発明の開示】
【発明が解決しようとする課題】
【０００５】
上記従来のＣＲＴ用水平偏向回路５００では、水平偏向周波数が低いとき、表示画像のリニアリティが低下する問題点がある。
そこで、本発明の目的は、水平偏向周波数が低いときでも表示画像の水平方向のリニアリティを十分に高めることができるＣＲＴ用水平偏向回路を提供することにある。
【課題を解決するための手段】
【０００６】
第１の観点では、本発明は、鋸歯状の水平偏向電流をＣＲＴの水平偏向コイルに流して電子ビームを水平方向に走査するＣＲＴ用水平偏向回路であって、前記水平偏向電流の波形の全体のリニアリティは補正せずに、前記波形のリニアリティが高い走査期間の部分のみを使って画像を表示するように前記波形のタイミングを前記水平走査周波数に基づいて制御する表示制御手段を具備したことを特徴とするＣＲＴ用水平偏向回路を提供する。
上記第１の観点によるＣＲＴ用水平偏向回路では、波形のタイミングを水平走査周波数に基づいて制御し、水平偏向電流の波形のリニアリティが高い走査期間の部分のみを使って画像を表示するので、マルチスキャンディスプレイ装置で水平偏向周波数が変化し低くなったときでも表示画像の水平方向のリニアリティを十分に高めることが出来る。
【発明の効果】
【０００７】
本発明のＣＲＴ用水平偏向回路によれば、水平偏向電流の波形のリニアリティが低い（水平走査期間の一部で波形が鈍る）場合には、水平偏向電流の波形のリニアリティが高い走査期間のみを使って画像を表示できるので、表示画像の水平方向の歪みを十分に低減することが出来る。
【発明を実施するための最良の形態】
【０００８】
以下、図に示す実施の形態により本発明をさらに詳細に説明する。なお、これにより本発明が限定されるものではない。
【実施例１】
【０００９】
図１は、実施例１にかかるＣＲＴ用水平偏向回路を示す構成図である。
このＣＲＴ用水平偏向回路１００は、入力された水平同期信号ＨＤを水平位置制御信号ＣＨに応じて遅延させて遅延水平同期信号ＨＤ’を生成する水平位置制御回路１と，前記遅延水平同期信号ＨＤ’に周波数および位相が一致した水平偏向パルス電圧Ｖｐを発生する水平発振回路２と，前記水平偏向パルス電圧Ｖｐを増幅すると共に波形成形を行う水平ドライブ回路３と，トランジスタＱ１のスイッチング動作および共振回路の働きにより水平偏向コイル４１およびリニアリティコイル４２に水平偏向電流ｉを流す水平出力回路４と，その水平出力回路４で発生したフライバックパルスを昇圧してＣＲＴ（図示せず）のアノード電極に印加する高圧を発生させるフライバックトランス５と，水平偏向周波数ｆｈに応じて水平偏向電流の波形のリニアリティが高い走査期間のみを使うべく画像表示位置を移動する水平位置制御信号ＣＨを出力すると共に画像表示位置が画面の中央になるように直流電流制御信号ＣＩを出力するマイクロコンピュータ１０と，前記直流電流制御信号ＣＩに応じた直流電流ｉｄを前記水平偏向電流ｉに重畳する直流電流重畳回路１１を具備して構成されている。
【００１０】
次に、このＣＲＴ用水平偏向回路１００の動作について説明する。
水平偏向周波数ｆｈが４０〜１１０ｋＨｚの場合、ＣＲＴ用水平偏向回路１００の動作は、従来のＣＲＴ用水平偏向回路５００（図５参照）の動作と基本的に同じである。マイクロコンピュータ１０は、従来と同じ水平位置制御信号ＣＨ＝ＣＨ’を出力すると共に、直流電流制御信号ＣＩを出力しない。
【００１１】
水平偏向周波数ｆｈが３０ｋＨｚの場合、マイクロコンピュータ１０は、画像表示位置を画面の中央よりも左方向に移動するための水平位置制御信号ＣＨ＝ＣＨ’＋ｃｄを出力する。図２の（ａ）に示すように、遅延同期信号ＨＤ’（実線）は、水平同期信号ＨＤ（点線）を、従来の遅延時間τ（図７参照）に前記ｃｄに相当する遅延時間τｃｄを加えた遅延時間｛τ＋τｃｄ｝だけ遅延させた波形である。
周期Ｔは、３３μｓである。水平方向の画像表示位置は、図２の（ａ）に示した遅延同期信号ＨＤ’と，図２の（ｂ）に示す表示信号との時間差により決まる。図２の（ｃ）に示すように、水平偏向コイル４１には、従来の水平偏向電流ｉ’（一点鎖線）より前記遅延時間τｃｄだけ余分に遅延され且つ遅延同期信号ＨＤ’に同期した鋸歯状の水平偏向電流ｉ（実線）が流れる。これにより、図３に示すように、画像表示領域Ｇ（右上がりの斜線斜線）が画面の中央より前記ｃｄだけ左方向に移動し、図２の（ｃ）の期間Ｄに対応する低リニアリティ領域ＤＦとの重なりが無くなる。前記ｃｄは、例えば画面幅Ｗの１０％程度である。移動状態の理解を容易にするため、画面の中央に位置した画像表示領域を点線で示す。なお、図中、ＬＦは、水平走査範囲である。Ｆは、ＣＲＴの管面幅である。
【００１２】
マイクロコンピュータ１０は、前記画像表示領域Ｇの移動を相殺するように水平走査範囲を移動するため、前記水平偏向電流ｉに直流電流ｉｄを重畳させる直流電流制御信号ＣＩを出力する。図２の（ｄ）に示すように、水平偏向コイル４１には、電流｛ｉ＋ｉｄ｝が流れる。これにより、図４に示すように、水平走査範囲ＬＦ（実線）が右方向に前記ｃｄだけ移動し、画像表示領域Ｇが画面の中央に位置する。直流電流ｉｄを重畳する前の水平走査範囲を点線で示す。
【００１３】
なお、上記動作では、説明の都合上、水平位置制御信号ＣＨの出力と，直流電流制御信号ＣＩの出力とに時間差を設けたが、水平位置制御信号ＣＨおよび直流電流制御信号ＣＩを同時に出力してもよい。
【００１４】
以上のＣＲＴ用水平偏向回路１００によれば、水平偏向周波数ｆｈが低い場合、水平位置制御回路１により画像表示領域Ｇを画面の中央より左方向に移動すると共に、直流電流重畳回路１１により水平偏向コイル４１を流れる水平偏向電流ｉに直流電流ｉｄを重畳して画像表示領域Ｇを画面の中央に戻すので、水平偏向電流ｉの波形のリニアリティが高い走査期間のみを使って画像を表示することが出来る。
【産業上の利用可能性】
【００１５】
本発明のＣＲＴ用水平偏向回路は、水平偏向周波数が３０ｋＨｚ〜１１０ｋＨｚ程度の範囲で変化するマルチスキャンディスプレイ装置に有用である。
【図面の簡単な説明】
【００１６】
【図１】本発明の実施例１にかかるＣＲＴ用水平偏向回路を示す構成図である。
【図２】図１のＣＲＴ用水平偏向回路における各部の波形図である。
【図３】図１のＣＲＴ用水平偏向回路により走査された画面の状態を示す説明図である。
【図４】図１のＣＲＴ用水平偏向回路により走査された画面の状態を示す別の説明図である。
【図５】従来のＣＲＴ用水平偏向回路の一例を示す回路図である。
【図６】図５のＣＲＴ用水平偏向回路における各部の波形図である。
【図７】図５のＣＲＴ用水平偏向回路により走査された画面の状態を示す説明図である。
【図８】図５のＣＲＴ用水平偏向回路により走査された画面の状態を示す別の説明図である。
【符号の説明】
【００１７】
１００  ＣＲＴ用水平偏向回路
１      水平位置制御回路
２      水平発振回路
３      水平ドライブ回路
４      水平出力回路
５      フライバックトランス
１０    マイクロコンピュータ
１１    直流電流重畳回路
４１    水平偏向コイル
４２    リニアリティコイル
ＣＨ    水平位置制御信号
ＣＩ    直流電流制御信号
ＨＤ    水平同期信号
ＨＤ’  遅延水平同期信号
ｉ      水平偏向電流
ｉｄ    直流電流
Ｖｐ    水平偏向パルス電圧
【図１】
0003668803.tif 000002
【図２】
0003668803.tif 000003
【図３】
0003668803.tif 000004
【図４】
0003668803.tif 000005
【図５】
0003668803.tif 000006
【図６】
0003668803.tif 000007
【図７】
0003668803.tif 000008
【図８】
0003668803.tif 000009